(57)【特許請求の範囲】
【請求項１】
予め定められたタイミング毎に送信と受信を交互に切り換える時分割タイプの無線通信システムに対応している時分割タイプ用高周波回路と、
送信又は受信又は送受信を連続的に行う連続タイプの無線通信システムに対応しているメインとサブの各連続タイプ用高周波回路と、
時分割タイプと連続タイプの無線通信システムに対応可能なマルチタイプのアンテナと、
連続タイプの無線通信システムに対応するシングルタイプのアンテナと、
メインの連続タイプ用高周波回路をマルチタイプのアンテナ側とシングルタイプのアンテナ側との何れか一方に切り換え接続させるメイン連続タイプ用スイッチ部と、
マルチタイプのアンテナが時分割タイプ用高周波回路に接続されている状態と、メイン連続タイプ用スイッチ部を介してメインの連続タイプ用高周波回路に接続されている状態との何れか一方の接続状態に切り換えるためのマルチタイプアンテナ用スイッチ部と、
シングルタイプのアンテナがメイン連続タイプ用スイッチ部を介してメインの連続タイプ用高周波回路に接続されている状態と、サブの連続タイプ用高周波回路に接続されている状態との何れか一方の接続状態に切り換えるためのシングルタイプアンテナ用スイッチ部と、
メインとサブの連続タイプ用高周波回路によるダイバーシチ無線通信を行うときにはメインの連続タイプ用高周波回路をマルチタイプのアンテナに接続させ、サブの連続タイプ用高周波回路をシングルタイプのアンテナに接続させるべく前記各スイッチ部の切り換え制御を行い、連続タイプの無線通信を行いながら時分割タイプの無線通信を行うときにはメインの連続タイプ用高周波回路をシングルタイプのアンテナに接続させ、時分割タイプ用高周波回路をマルチタイプのアンテナに接続させるべく前記各スイッチ部の切り換え制御を行うスイッチ制御部と、
が設けられていることを特徴とする無線通信装置。
【請求項２】
メイン連続タイプ用スイッチ部と、シングルタイプアンテナ用スイッチ部とは、それぞれ、ＳＰＤＴスイッチにより構成されていることを特徴とする請求項１記載の無線通信装置。
【請求項３】
メインとサブの連続タイプ用高周波回路によるダイバーシチ無線通信中に、メインあるいはサブの連続タイプ用高周波回路が受信した何れかの信号に基づいて、ダイバーシチ無線通信状態が予め与えられているタイバーシチ動作条件を満たしていないと判断したときにはサブの連続タイプ用高周波回路の動作を停止させるダイバーシチ停止制御部が設けられていることを特徴とする請求項１又は請求項２記載の無線通信装置。
【発明の詳細な説明】
【技術分野】
【０００１】
本発明は、例えば移動型（携帯型）無線通信装置等の無線通信装置に関するものである。
【背景技術】
【０００２】
無線通信システムには様々なものであり、例えば、無線通信システムの一つであるＷ−ＣＤＭＡ（Wideband-Code-Division-Multiple-Access）の無線通信システムでは、送信又は受信又は送受信を連続的に行う。また、別の無線通信方式の一つであるＧＳＭ（Global-System-for-Mobile-communication）の無線通信システムでは、予め定められたタイミング毎に送信と受信を切り換えて行う。
【０００３】
【特許文献１】特開２００１−２４５７９号公報
【発明の開示】
【発明が解決しようとする課題】
【０００４】
ところで、Ｗ−ＣＤＭＡにて無線通信を行っているときに、無線通信状態が悪くなると、ダイバーシチ無線通信動作を行うことで無線通信状態の改善を図ることがある。この改善手法を用いるためには、例えば、無線通信装置には、Ｗ−ＣＤＭＡに対応する複数の無線通信用高周波回路と、各無線通信用高周波回路にそれぞれ個別に対応する複数のアンテナとが設けられる。
【０００５】
また、Ｗ−ＣＤＭＡとＧＳＭの両方の無線通信が可能な無線通信装置において、Ｗ−ＣＤＭＡでの無線通信状態が悪くなると、ＧＳＭでの無線通信により無線通信状態の改善が図れるか否かを判断し、例えば、無線通信装置の位置している領域が、Ｗ−ＣＤＭＡでの無線通信が可能な領域とＧＳＭでの無線通信が可能な領域とのオーバーラップ領域であってＧＳＭでの無線通信によって良好な無線通信状態が得られる場合には、Ｗ−ＣＤＭＡからＧＳＭに切り換えることにより無線通信状態の改善を図ることがある。この改善手法を用いるためには、例えば、無線通信装置には、Ｗ−ＣＤＭＡ用の無線通信用高周波回路と、ＧＳＭ用の無線通信用高周波回路と、各無線通信用高周波回路にそれぞれ個別に対応する複数のアンテナとが設けられる。
【０００６】
ところで、無線通信装置、特に、携帯型電話機等の携帯型の無線通信装置においては、無線通信を快適に行うことができるという要求はもちろんのこと、小型化および省電力化が要求されている。
【０００７】
本発明の目的は、無線通信に対する信頼性を高めることができ、しかも、省電力化および小型化を図ることができる無線通信装置を提供することにある。
【課題を解決するための手段】
【０００８】
上記目的を達成するために、この発明は次に示す構成をもって前記課題を解決するための手段としている。すなわち、この発明の無線通信装置は、
予め定められたタイミング毎に送信と受信を交互に切り換える時分割タイプの無線通信システムに対応している時分割タイプ用高周波回路と、
送信又は受信又は送受信を連続的に行う連続タイプの無線通信システムに対応しているメインとサブの各連続タイプ用高周波回路と、
時分割タイプと連続タイプの無線通信システムに対応可能なマルチタイプのアンテナと、
連続タイプの無線通信システムに対応するシングルタイプのアンテナと、
メインの連続タイプ用高周波回路をマルチタイプのアンテナ側とシングルタイプのアンテナ側との何れか一方に切り換え接続させるメイン連続タイプ用スイッチ部と、
マルチタイプのアンテナが時分割タイプ用高周波回路に接続されている状態と、メイン連続タイプ用スイッチ部を介してメインの連続タイプ用高周波回路に接続されている状態との何れか一方の接続状態に切り換えるためのマルチタイプアンテナ用スイッチ部と、
シングルタイプのアンテナがメイン連続タイプ用スイッチ部を介してメインの連続タイプ用高周波回路に接続されている状態と、サブの連続タイプ用高周波回路に接続されている状態との何れか一方の接続状態に切り換えるためのシングルタイプアンテナ用スイッチ部と、
メインとサブの連続タイプ用高周波回路によるダイバーシチ無線通信を行うときにはメインの連続タイプ用高周波回路をマルチタイプのアンテナに接続させ、サブの連続タイプ用高周波回路をシングルタイプのアンテナに接続させるべく前記各スイッチ部の切り換え制御を行い、連続タイプの無線通信を行いながら時分割タイプの無線通信を行うときにはメインの連続タイプ用高周波回路をシングルタイプのアンテナに接続させ、時分割タイプ用高周波回路をマルチタイプのアンテナに接続させるべく前記各スイッチ部の切り換え制御を行うスイッチ制御部と、
が設けられていることを特徴としている。
【発明の効果】
【０００９】
この発明によれば、例えばＷ−ＣＤＭＡのような連続タイプの無線通信システムに対応するメインとサブの各連続タイプ用高周波回路を設けると共に、メインとサブの各連続タイプ用高周波回路にそれぞれ接続可能な２つのアンテナを設けたので、メインとサブの連続タイプ用高周波回路によるダイバーシチ無線通信を行うことが可能となる。これにより、例えばメインとサブの何れか一方の連続タイプ用高周波回路による無線通信の状態が悪化したときにダイバーシチ無線通信により無線通信状態の改善を図ることができる。
【００１０】
また、この発明では、前記２つのアンテナのうちの一つは、連続タイプだけでなく、例えばＧＳＭのような時分割タイプの無線通信システムにも対応可能なマルチタイプのアンテナとし、別のアンテナは連続タイプの無線通信システムに対応するシングルタイプのアンテナとした。さらに、時分割タイプ用高周波回路を設け、マルチタイプのアンテナにはその時分割タイプ用高周波回路をも接続可能とした。マルチタイプのアンテナに時分割タイプ用高周波回路を、また、シングルタイプのアンテナにメインの連続タイプ用高周波回路を、それぞれ、接続することによって、連続タイプの無線通信を行いながら時分割タイプの無線通信を行うことが可能となる。これにより、この発明の構成では、例えば、連続タイプの無線通信状態が悪化したときに、連続タイプの無線通信を行いながら時分割タイプの無線通信を試験的に行うことが可能となる。そして、時分割タイプの無線通信状態の良否を判断し、時分割タイプの無線通信状態が良好であると判断したときには、連続タイプから時分割タイプに切り換えることにより、無線通信状態の改善を図ることができる。
【００１１】
上記のようなダイバーシチ無線通信による無線通信状態の改善や、連続タイプから時分割タイプへの切り換えによる無線通信状態の改善を行うことが可能であるので、良好な無線通信状態を維持し易くなり、これにより、本発明の無線通信装置に対する無線通信の信頼性を高めることができる。
【００１２】
また、この発明の無線通信装置は、上記のように、メインとサブの連続タイプ用高周波回路によるダイバーシチ無線通信を行うことができる。このことから、例えば、連続タイプの一つであるＷ−ＣＤＭＡのＨＳＤＰＡ（High-Speed-Downlink-Packet-Access）のダイバーシチ無線通信を行うことによって、無線通信状態が良好なときにはスループットの大幅な向上を図ることが可能である。
【００１３】
さらに、この発明では、アンテナの一つを、連続タイプと時分割タイプの両方の無線通信システムに対応可能なマルチタイプのアンテナとし、当該マルチタイプのアンテナには、時分割タイプ用高周波回路と、メインの連続タイプ用高周波回路との何れか一方が接続されている状態に切り換えるスイッチ部を設けた。また、シングルタイプのアンテナには、メインの連続タイプ用高周波回路と、サブの連続タイプ用高周波回路との何れか一方が接続されている状態に切り換えるスイッチ部を設けた。つまり、この発明では、マルチタイプのアンテナは、時分割タイプ用高周波回路と連続タイプ用高周波回路に兼用のアンテナと成し、シングルタイプのアンテナは、メインとサブの連続タイプ用高周波回路に兼用のアンテナと成している。これにより、メインの連続タイプ用高周波回路と、サブの連続タイプ用高周波回路と、時分割タイプ用高周波回路とにそれぞれ個別に対応する３つのアンテナを設けなくて済むこととなり、アンテナの配設数を高周波回路の数よりも少なくすることができる。このために、無線通信装置の小型化を図ることができる。
【００１４】
さらに、メイン連続タイプ用スイッチ部と、シングルタイプアンテナ用スイッチ部とが、それぞれ、ＳＰＤＴ（Single-Pole-Double-Throw）スイッチにより形成されている構成とすることによって、無線通信装置の省電力化を図ることができる。つまり、ＳＰＤＴスイッチは、他の構成のスイッチに比べて、導通損失が少ないものである。このことから、例えば、メインの連続タイプ用高周波回路による無線通信を行う場合に、そのメインの連続タイプ用高周波回路を、メイン連続タイプ用スイッチ部と、シングルタイプアンテナ用スイッチ部とを介してシングルタイプのアンテナに接続させることによって、メインの連続タイプ用高周波回路を、メイン連続タイプ用スイッチ部と、ＳＰＤＴスイッチ以外の構成を持つマルチタイプアンテナ用スイッチ部とを介してマルチタイプのアンテナに接続させる場合に比べて、メインの連続タイプ用高周波回路と、アンテナとの間の導通損失を低減させることができる。これにより、無線通信の感度を高めることができるし、無線通信に必要な電流量を少なくすることができて省電力化を図ることができる。例えば、無線通信装置が電源電池の電力を利用して駆動している場合には、電源電池の消耗を抑制することができる。
【００１５】
ダイバーシチ停止制御部を設けたものにあっては、ダイバーシチ停止制御部によって、ダイバーシチ無線通信中に、メインあるいはサブの連続タイプ用高周波回路が受信した何れかの信号に基づいて、ダイバーシチ無線通信状態が予め与えられているダイバーシチ動作条件を満たしていないと判断したときにはサブの連続タイプ用高周波回路の動作を停止させることができる。つまり、ダイバーシチ無線通信を行っても無線通信状態の改善を図ることができない場合には、ダイバーシチ無線通信は無駄であるから、サブの連続タイプ用高周波回路の動作を停止してダイバーシチ無線通信を終了させることで、省電力化を図ることができる。
【発明を実施するための最良の形態】
【００１６】
以下に、この発明に係る実施形態例を図面に基づいて説明する。
【００１７】
第１実施形態例の無線通信装置は、時分割タイプ（つまり、予め定められたタイミング毎に送信と受信を交互に切り換えるタイプ）であるＧＳＭの無線通信システムと、連続タイプ（つまり、送信又は受信又は送受信を連続的に行うタイプ）であるＷ−ＣＤＭＡの無線通信システムとの両方の無線通信システムに対応しているものである。図１に示されるように、第１実施形態例の無線通信装置１は、マルチタイプのアンテナ２と、シングルタイプのアンテナ３と、マルチタイプアンテナ用スイッチ部であるアンテナスイッチ４と、シングルタイプアンテナ用スイッチ部であるＳＰＤＴスイッチ５と、メイン連続タイプ用スイッチ部であるＳＰＤＴスイッチ６と、時分割タイプ用高周波回路であるＧＳＭ用高周波回路７と、メインの連続タイプ用高周波回路であるメインＷ−ＣＤＭＡ用高周波回路８と、サブの連続タイプ用高周波回路であるサブＷ−ＣＤＭＡ用高周波回路９と、ベースバンド処理部１０とを有して構成されている。
【００１８】
すなわち、マルチタイプのアンテナ２は、ＧＳＭとＷ−ＣＤＭＡの両方の無線通信システムに対応可能なものである。ところで、ＧＳＭには複数のモードがあり、この第１実施形態例では、例えば、ＧＳＭ８５０のモードと、ＧＳＭ９００のモードと、ＤＣＳ（Digital-Celular-System）のモードと、ＰＣＳ（Personal-Communication-System）のモードという４つのモードでのＧＳＭの無線通信が可能となっている。ＧＳＭ８５０の無線通信の周波数帯は約８５０ＭHzであり、ＧＳＭ９００の無線通信の周波数帯は約９００ＭHzである。ＤＣＳの受信周波数帯は約1805ＭHz〜1880ＭHzであり、ＤＣＳの送信周波数帯は約1710ＭHz〜1785ＭHzである。ＰＣＳの受信周波数帯は約1900ＭHzであり、ＰＣＳの送信周波数帯は約1800ＭHzである。また、Ｗ−ＣＤＭＡの受信周波数帯は約2110ＭHz〜2170ＭHzであり、Ｗ−ＣＤＭＡの送信周波数帯は約1920ＭHz〜1980ＭHzである。この第１実施形態例では、マルチタイプのアンテナ２は、上記したようなＧＳＭ（ＧＳＭ８５０、ＧＳＭ９００、ＤＣＳ、ＰＣＳ）およびＷ−ＣＤＭＡの信号送受信の周波数帯で無線通信動作（共振動作）を行うことができる構成を有している。
【００１９】
シングルタイプのアンテナ３は、Ｗ−ＣＤＭＡの無線通信システムに対応したものであり、上記したようなＷ−ＣＤＭＡの信号送受信の周波数帯の無線通信動作を行うことができる構成を有している。
【００２０】
ＧＳＭ用高周波回路７は、ＧＳＭ８５０用送信回路１２と、ＧＳＭ９００用送信回路１３と、ＤＣＳ用送信回路１４と、ＰＣＳ用送信回路１５と、増幅部１６と、ＧＳＭ８５０用受信回路１７と、ＧＳＭ９００用受信回路１８と、ＤＣＳ用受信回路１９と、ＰＣＳ用受信回路２０と、ＧＳＭ８５０受信用フィルタ２１と、ＧＳＭ９００受信用フィルタ２２と、ＤＣＳ受信用フィルタ２３と、ＰＣＳ受信用フィルタ２４とを有して構成されている。
【００２１】
ＧＳＭ８５０用送信回路１２と、ＧＳＭ９００用送信回路１３と、ＤＣＳ用送信回路１４と、ＰＣＳ用送信回路１５とは、それぞれ、ベースバンド処理部１０から出力された送信用信号を予め定められたＧＳＭのモード（つまり、ＧＳＭ８５０モード又はＧＳＭ９００モード又はＤＣＳモード又はＰＣＳモード）で送信するための高周波信号に変換（変調）する回路構成を有している。増幅部１６は、各送信回路１２〜１５から出力された送信用の高周波信号を増幅して出力する回路構成を有している。なお、この第１実施形態例では、ＧＳＭ８５０用送信回路１２と、ＧＳＭ９００用送信回路１３とからそれぞれ出力された信号の出力経路は合流して増幅部１６に入力しており、ＧＳＭ８５０用送信回路１２の出力信号およびＧＳＭ９００用送信回路１３の出力信号は増幅部１６により増幅され増幅部１６から送信用のＬ信号としてＧＳＭ用高周波回路７から出力される。また、ＤＣＳ用送信回路１４と、ＰＣＳ用送信回路１５とからそれぞれ出力された信号の出力経路は合流して増幅部１６に入力しており、ＤＣＳ用送信回路１４の出力信号およびＤＣＳ用送信回路１４の出力信号は増幅部１６により増幅され増幅部１６から送信用のＨ信号としてＧＳＭ用高周波回路７から出力される。
【００２２】
ＧＳＭ８５０とＧＳＭ９００とＤＣＳとＰＣＳとの受信信号の周波数帯は前記の如く互いに異なっている。その受信信号の周波数帯の違いを利用して、ＧＳＭ８５０受信用フィルタ２１と、ＧＳＭ９００受信用フィルタ２２と、ＤＣＳ受信用フィルタ２３と、ＰＣＳ受信用フィルタ２４とは、それぞれ、ＧＳＭ用高周波回路７に入力した受信信号から予め定められたモードの受信信号（つまり、ＧＳＭ８５０の受信信号又はＧＳＭ９００の受信信号又はＤＣＳの受信信号又はＰＣＳの受信信号）を選択的に取り出す構成を有するものであり、例えば、バンドパスフィルタにより構成されている。ＧＳＭ８５０用受信回路１７はＧＳＭ８５０受信用フィルタ２１により取り出されたＧＳＭ８５０の受信信号を、また、ＧＳＭ９００用受信回路１８はＧＳＭ９００受信用フィルタ２２により取り出されたＧＳＭ９００の受信信号を、また、ＤＣＳ用受信回路１９はＤＣＳ受信用フィルタ２３により取り出されたＤＣＳの受信信号を、さらに、ＰＣＳ用受信回路２０はＰＣＳ受信用フィルタ２４により取り出されたＰＣＳの受信信号を、それぞれ、ベースバンド処理部１０のための周波数の信号に変換（復調）する回路構成を有している。
【００２３】
メインＷ−ＣＤＭＡ用高周波回路８は、Ｗ−ＣＤＭＡでの信号の送受信に対応可能なものであり、デュプレクサ２６と、送信側増幅部２７と、送信回路２８と、受信側増幅部２９と、受信回路３０とを有して構成されている。送信回路２８は、ベースバンド処理部１０から出力された送信用信号をＷ−ＣＤＭＡで送信するための高周波信号に変換（変調）する回路構成を有している。送信側増幅部２７は送信回路２８から出力された送信用の高周波信号を増幅する回路構成を有している。ディプレクサ２６は、Ｗ−ＣＤＭＡの送信周波数帯と受信周波数帯の違いを利用して、送信側増幅部２７から出力された信号をメインＷ−ＣＤＭＡ用高周波回路８から出力させ、メインＷ−ＣＤＭＡ用高周波回路８に入力した受信信号を受信側増幅部２９に供給するというように送信信号と受信信号の導通経路を制御する回路構成を有している。受信側増幅部２９はデュプレクサ２６から加えられた受信信号を増幅出力する回路構成を有している。受信回路３０は、受信側増幅部２９から出力された受信信号をベースバンド処理部１０のための周波数の信号に変換（復調）する回路構成を有している。
【００２４】
サブＷ−ＣＤＭＡ用高周波回路９は、Ｗ−ＣＤＭＡでの信号の受信に対応するものであり、Ｗ−ＣＤＭＡ受信用フィルタ３２と、増幅部３３と、受信回路３４とを有して構成されている。Ｗ−ＣＤＭＡ受信用フィルタ３２は、サブＷ−ＣＤＭＡ用高周波回路９に入力した信号からＷ−ＣＤＭＡの受信信号を取り出す回路構成を有しており、例えば、バンドパスフィルタにより構成されている。増幅部３３は、Ｗ−ＣＤＭＡ受信用フィルタ３２により取り出されたＷ−ＣＤＭＡの受信信号を増幅する回路構成を有している。受信回路３４は、増幅部３３から出力された受信信号をベースバンド処理部１０のための周波数の信号に変換（復調）する回路構成を有している。
【００２５】
アンテナスイッチ４は、マルチタイプのアンテナ２がＧＳＭ用高周波回路７に接続されている状態と、マルチタイプのアンテナ２がメインＷ−ＣＤＭＡ用高周波回路８に接続されている状態との何れか一方の接続状態に切り換える構成を有している。また、アンテナスイッチ４は、ＧＳＭ用高周波回路７を構成している構成部１２〜１６から成る送信系回路部と、構成部１７〜２４から成る受信系回路部との何れか一方をマルチタイプのアンテナ２側に切り換え接続させるための構成をも有している。さらに、アンテナスイッチ４は、送信系回路部の送信回路１２，１３の組と、送信回路１４，１５の組との何れか一方の組をマルチタイプのアンテナ２側に切り換え接続させるための構成をも有している。さらに、アンテナスイッチ４は、受信系回路部の受信回路１７〜２０のうちの何れか一つを択一的にマルチタイプのアンテナ２側に切り換え接続させるための構成をも有している。例えば、図２にはアンテナスイッチ４の一回路構成例が示されている。この図２に示されるアンテナスイッチ４は、スイッチ部３６〜３９を有して構成されている。すなわち、スイッチ部３６は、マルチタイプのアンテナ２をＧＳＭ用高周波回路７側とメインＷ−ＣＤＭＡ用高周波回路８側との何れか一方側に切り換え接続させるためのスイッチである。スイッチ部３７は、ＧＳＭ用高周波回路７の送信系回路部と受信系回路部の一方をマルチタイプのアンテナ２側に切り換え接続させるためのスイッチである。スイッチ部３８は、ＧＳＭ用高周波回路７の受信系回路部の受信回路１７〜２０の何れか一つを択一的にマルチタイプのアンテナ２側に切り換え接続させるためのスイッチである。スイッチ部３９は、ＧＳＭ用高周波回路７の送信系回路部の送信回路１２，１３の組と送信回路１４，１５の組との何れか一方の組をマルチタイプのアンテナ２側に切り換え接続させるためのスイッチである。
【００２６】
ＳＰＤＴスイッチ５は、シングルタイプのアンテナ３がサブＷ−ＣＤＭＡ用高周波回路９に接続されている状態と、シングルタイプのアンテナ３がＳＰＤＴスイッチ６を介してメインＷ−ＣＤＭＡ用高周波回路８に接続されている状態との何れか一方の接続状態に切り換えるためのものである。
【００２７】
ＳＰＤＴスイッチ６は、メインＷ−ＣＤＭＡ用高周波回路８がアンテナスイッチ４を介してマルチタイプのアンテナ２に接続されている状態と、メインＷ−ＣＤＭＡ用高周波回路８がＳＰＤＴスイッチ５を介してシングルタイプのアンテナ３に接続されている状態との何れか一方の接続状態に切り換えるためのものである。
【００２８】
この第１実施形態例では、ベースバンド処理部１０にはスイッチ制御部４２が設けられている。また、この第１実施形態例の無線通信装置１には当該無線通信装置１の動作を制御する制御部（図示せず）が設けられている。スイッチ制御部４２は、制御部からの指令に従ってアンテナスイッチ４とＳＰＤＴスイッチ５，６の全てのスイッチの切り換え制御を行う構成を備えている。例えば、スイッチ制御部４２は、メインＷ−ＣＤＭＡ用高周波回路８単独による無線通信を行う場合には、図１に示されるように、メインＷ−ＣＤＭＡ用高周波回路８をＳＰＤＴスイッチ５，６を介してシングルタイプのアンテナ３に接続させるべくＳＰＤＴスイッチ５，６の切り換え制御を行う。このように、メインＷ−ＣＤＭＡ用高周波回路８をＳＰＤＴスイッチ５，６を介してシングルタイプのアンテナ３に接続させて無線通信を行うことによって、メインＷ−ＣＤＭＡ用高周波回路８をＳＰＤＴスイッチ６とアンテナスイッチ４を介してマルチタイプのアンテナ２に接続させる場合に比べて、メインＷ−ＣＤＭＡ用高周波回路８とアンテナとの間の導通損失を抑制することができ、省電力化を図ることができる。また、マルチタイプのアンテナ２よりもシングルタイプのアンテナ３の方が良好な無線通信感度を得られ易いことから、感度の良い無線通信を行うことができる。
【００２９】
スイッチ制御部４２は、メインＷ−ＣＤＭＡ用高周波回路８による無線通信を行いながらＧＳＭ用高周波回路７による無線通信を行う場合（例えば、Ｗ−ＣＤＭＡでの無線通信中に、ＧＳＭでの無線通信状態の良否を判断するために試験的にＧＳＭの無線通信をも行う場合）には、メインＷ−ＣＤＭＡ用高周波回路８をＳＰＤＴスイッチ５，６を介してシングルタイプのアンテナ３に接続させ、かつ、ＧＳＭ用高周波回路７をアンテナスイッチ４を介してマルチタイプのアンテナ２に接続させるべくスイッチ４，５，６の切り換え制御を行う。
【００３０】
さらに、スイッチ制御部４２は、メインＷ−ＣＤＭＡ用高周波回路８とサブＷ−ＣＤＭＡ用高周波回路９によるダイバーシチ無線通信を行う場合には、図３に示されるように、メインＷ−ＣＤＭＡ用高周波回路８をＳＰＤＴスイッチ６とアンテナスイッチ４を介してマルチタイプのアンテナ２に接続させ、かつ、サブＷ−ＣＤＭＡ用高周波回路９をＳＰＤＴスイッチ５を介してシングルタイプのアンテナ３に接続させるべくアンテナ４，５，６の切り換え制御を行う。
【００３１】
なお、ダイバーシチ無線通信には次に示すような複数の手法がある。例えば、ダイバーシチ無線通信の一つの手法は、マルチタイプのアンテナ２からメインＷ−ＣＤＭＡ用高周波回路８側に供給された受信信号と、シングルタイプのアンテナ３からサブＷ−ＣＤＭＡ用高周波回路９側に供給された受信信号とをそれぞれ検出し、それら受信信号のＳＮ比や信号強度等を比較する。そして、その比較に基づいて、マルチタイプのアンテナ２による無線通信状態と、シングルタイプのアンテナ３による無線通信状態との何れの無線通信状態が良好であるかを判定し、良好な無線通信状態を得ることができる方のアンテナを採用して無線通信を行う。以下、このようなダイバーシチ無線通信を選択型のダイバーシチと記す。
【００３２】
また、ダイバーシチ無線通信の別の一つの手法は、メインＷ−ＣＤＭＡ用高周波回路８から出力される受信信号と、サブＷ−ＣＤＭＡ用高周波回路９から出力される受信信号とを予め与えられた合成手法に従って合成して受信信号のＳＮ比や信号強度の向上を図るものである。以下、このようなダイバーシチ無線通信を合成型のダイバーシチと記す。
【００３３】
上記のようにダイバーシチ無線通信には複数の手法があり、この第１実施形態例では、何れの手法のダイバーシチ無線通信を行ってもよいものである。
【００３４】
以下に、第２実施形態例を説明する。なお、この第２実施形態例の説明において、第１実施形態例と同一構成部分には同一符号を付し、その共通部分の重複説明は省略する。
【００３５】
この第２実施形態例では、第１実施形態例の構成に加えて、図１や図３の点線に示されるようなダイバーシチ停止制御部４４が設けられている。ダイバーシチ停止制御部４４は、無線通信装置１の制御部等からの情報に基づいて無線通信装置１がメインとサブのＷ−ＣＤＭＡ用高周波回路８，９によるダイバーシチ無線通信中であることを検知しているときに、ダイバーシチ無線通信が有効であるか否かを例えば次に示すように判断し、有効でないと判断したときにはサブＷ−ＣＤＭＡ用高周波回路９の動作を停止させる構成を有している。例えば、選択型のダイバーシチを採用している場合には、ダイバーシチ停止制御部４４は、サブＷ−ＣＤＭＡ用高周波回路９が受信した信号をサブＷ−ＣＤＭＡ用高周波回路９又はベースバンド処理部１０から検出し、この検出した受信信号の強度やＳＮ比を予め与えられているダイバーシチ要否判断用しきい値に比較する。そして、ダイバーシチ停止制御部４４は、その比較により受信信号の強度やＳＮ比がダイバーシチ要否判断用しきい値よりも良好であるか否かを判断し、良好であると判断したときにはダイバーシチ動作条件を満たしておりダイバーシチ無線通信は有効であると判断してダイバーシチ無線通信を継続させる。また、ダイバーシチ停止制御部４４は、受信信号の強度やＳＮ比がダイバーシチ要否判断用しきい値よりも良好でないと判断したときにはダイバーシチ動作条件を満たしておらずダイバーシチ無線通信を行っても良好な無線通信状態を得ることができないと判断する。この場合には、ダイバーシチ停止制御部４４は、例えば電源からサブＷ−ＣＤＭＡ用高周波回路９への電力供給を停止させてサブＷ−ＣＤＭＡ用高周波回路９の動作を停止させる。
【００３６】
また、合成型のダイバーシチを採用している場合には、ダイバーシチ停止制御部４４は、例えば、サブＷ−ＣＤＭＡ用高周波回路９の受信信号、又は、メインとサブのＷ−ＣＤＭＡ用高周波回路８，９の受信信号の合成信号を検出し、その検出した信号の強度やＳＮ比をダイバーシチ要否判断用しきい値に比較する。そして、上記同様に、ダイバーシチ停止制御部４４は、その比較により受信信号の強度やＳＮ比がダイバーシチ要否判断用しきい値よりも良好であるか否かを判断し、良好であると判断したときにはダイバーシチ動作条件を満たしているのでダイバーシチ無線通信を継続させる。また、ダイバーシチ停止制御部４４は、受信信号の強度やＳＮ比がダイバーシチ要否判断用しきい値よりも良好でないと判断したときにはダイバーシチ動作条件を満たしていないのでダイバーシチ無線通信を行っても良好な無線通信状態を得ることができないと判断して、サブＷ−ＣＤＭＡ用高周波回路９の動作を停止させる。
【００３７】
この第２実施形態例の無線通信装置１は上記のように構成されている。この第２実施形態例の無線通信装置１のダイバーシチ無線通信に関わる一動作例を図４のフローチャートに基づいて簡単に説明する。例えば、ダイバーシチ無線通信中に、予め定められたタイミングで、ダイバーシチ停止制御部４４は、ダイバーシチ無線通信が有効であるか否かを判断する（ステップ１０１）。そして、ダイバーシチ無線通信は有効であると判断したときには、ステップ１０２にてダイバーシチ無線通信を継続すると判断する。このときのスイッチ４，５，６は図１に示されるような切り換え状態となっており、この切り換え状態は引き続き維持される。その後、ステップ１０３にて、例えばメインＷ−ＣＤＭＡ用高周波回路８の受信信号とサブＷ−ＣＤＭＡ用高周波回路９の受信信号とのうちの一方又は両方に基づいて無線通信状態が変化したか否かを判断する。そして、無線通信状態が変化していない、又は、許容範囲内の変化であると判断したときには、ステップ１０２にてダイバーシチ無線通信を継続すると判断し、スイッチ４，５，６の切り換え状態はそのまま継続される。
【００３８】
ステップ１０３にて、無線通信状態が許容範囲を越えて変化したと判断したときには、ステップ１０１以下の動作を繰り返す。ステップ１０１にて、ダイバーシチ停止制御部４４が、ダイバーシチ無線通信が有効でないと判断したときには、ステップ１０４にて、ダイバーシチ無線通信を継続させても良好な無線通信状態を得ることはできないと判断して、ダイバーシチ停止制御部４４がサブＷ−ＣＤＭＡ用高周波回路９の動作を停止させる。そして、スイッチ制御部４２は、メインＷ−ＣＤＭＡ用高周波回路８単独による無線通信を行うべく図３に示すようにスイッチ４，５，６を切り換え制御する。その後、ステップ１０５にて、メインＷ−ＣＤＭＡ用高周波回路８の受信信号に基づいて無線通信状態が変化したか否かを判断する。そして、無線通信状態が変化していない、又は、許容範囲内の変化であると判断したときには、ステップ１０４にてダイバーシチ無線通信を引き続き停止させたままでメインＷ−ＣＤＭＡ用高周波回路８単独の無線通信を継続すると判断し、スイッチ４，５，６の切り換え状態はそのまま継続される。また、ステップ１０５にて、無線通信状態が許容範囲を越えて変化したと判断したときには、ステップ１０１以下の動作を繰り返し、例えば、ステップ１０１で、ダイバーシチ無線通信が有効であると判断されたときには、メインとサブのＷ−ＣＤＭＡ用高周波回路８，９によるダイバーシチ無線通信を再開する。
【００３９】
なお、このような無線通信装置１の動作は一例であって、もちろん、無線通信装置１は、他の動作をも採り得るものである。
【００４０】
なお、この発明は第１や第２の各実施形態例に限定されるものではなく、様々な実施の形態を採り得る。例えば、第１や第２の各実施形態例では、サブＷ−ＣＤＭＡ用高周波回路９は受信のみを行う回路構成であったが、必要に応じて、送受信可能な回路構成を備えていてもよいし、送信のみを行う回路構成であってもよい。また、メインＷ−ＣＤＭＡ用高周波回路８は送受信が可能なものであったが、送信と受信の一方のみを行うものであってもよい。
【００４１】
さらに、第１と第２の各実施形態例では、スイッチ制御部４２はベースバンド処理部１０に内蔵されていたが、スイッチ制御部４２はベースバンド処理部１０の外部に単独で設けられていてもよいし、また、無線通信装置１の制御部にスイッチ制御部４２が内蔵されている構成としてもよい。また、第２実施形態例に示したダイバーシチ停止制御部４４に関しても同様に、ダイバーシチ停止制御部４４はベースバンド処理部１０に内蔵されていたが、ダイバーシチ停止制御部４４はベースバンド処理部１０の外部に単独で設けられていてもよいし、また、無線通信装置１の制御部に内蔵されている構成としてもよい。
【００４２】
さらに、第２実施形態例で示したダイバーシチ停止制御部４４は、ダイバーシチ無線通信中に、ダイバーシチ無線通信状態が予め与えられているダイバーシチ動作条件を満たしていないと判断したときにはサブのＷ−ＣＤＭＡ用高周波回路９の動作を停止させる構成であったが、例えば、サブのＷ−ＣＤＭＡ用高周波回路９が送受信可能な回路構成を有している場合には、ダイバーシチ停止制御部４４は、ダイバーシチ無線通信中に、ダイバーシチ無線通信状態が予め与えられているダイバーシチ動作条件を満たしていないと判断したときにメインのＷ−ＣＤＭＡ用高周波回路８の動作を停止させる構成としてもよい。さらに、第２実施形態例では、受信信号のＳＮ比や強度がダイバーシチ要否判断用しきい値よりも良好であることをダイバーシチ動作条件としていたが、他の条件をダイバーシチ動作条件としてもよい。さらに、第２実施形態例で示したダイバーシチ停止制御部４４は、ダイバーシチ無線通信中に、サブＷ−ＣＤＭＡ用高周波回路９が受信した信号に基づいて、ダイバーシチ無線通信状態が予め与えられているダイバーシチ動作条件を満たしているか否かを判断していたが、メインＷ−ＣＤＭＡ用高周波回路８が受信した信号に基づいて、ダイバーシチ無線通信状態が予め与えられているダイバーシチ動作条件を満たしているか否かを判断してもよいし、メインＷ−ＣＤＭＡ用高周波回路８が受信した信号とサブＷ−ＣＤＭＡ用高周波回路９が受信した信号との両方の受信信号に基づいて、ダイバーシチ無線通信状態が予め与えられているダイバーシチ動作条件を満たしているか否かを判断してもよい。
【００４３】
さらに、第１と第２の各実施形態例では、シングルタイプアンテナ用スイッチ部５と、メイン連続タイプ用スイッチ部６とは、それぞれ、ＳＰＤＴスイッチにより構成されていたが、例えば、シングルタイプアンテナ用スイッチ部５と、メイン連続タイプ用スイッチ部６との一方又は両方がＳＰＤＴスイッチ以外のスイッチにより構成されていてもよい。また、第１と第２の各実施形態例では、時分割タイプの一例としてＧＳＭを挙げ、また、連続タイプの一例としてＷ−ＣＤＭＡを挙げたが、もちろん、本発明は、ＧＳＭ以外の時分割タイプの無線通信システムに対応可能な無線通信装置や、Ｗ−ＣＤＭＡ以外の連続タイプの無線通信システムに対応可能な無線通信装置にも適用することが可能なものである。
【図面の簡単な説明】
【００４４】
【図１】本発明に係る無線通信装置の一実施形態例を説明するための図である。
【図２】アンテナスイッチの一回路構成例を説明するための回路図である。
【図３】実施形態例の無線通信装置におけるスイッチ部の一切り換え状態例を説明するための図である。
【図４】第２実施形態例の無線通信装置の一動作例を説明するためのフローチャートである。
【符号の説明】
【００４５】
１  無線通信装置
２  マルチタイプのアンテナ
３  シングルタイプのアンテナ
４  アンテナスイッチ
５，６  ＳＰＤＴスイッチ
７  ＧＳＭ用高周波回路
８  メインＷ−ＣＤＭＡ用高周波回路
９  サブＷ−ＣＤＭＡ用高周波回路
４２  スイッチ制御部
４４  ダイバーシチ停止制御部
【図１】
0004696985.tif 000002
【図２】
0004696985.tif 000003
【図３】
0004696985.tif 000004
【図４】
0004696985.tif 000005